(57)【要約】【課題】三方弁のサイズを大きくすることなく、冷媒漏れを防止できる空気調和機の三方弁を提供すること。【解決手段】冷媒流路を開放または閉塞する弁棒１４と、弁棒１４を螺着させる弁棒受入ポート１５と、室内機の冷媒配管と接続する室内配管側ポート１２と、室外機の冷媒配管と接続する室外配管側ポート１３と、バルブコア１６を介して冷媒流路と大気とを連通させるサービスポート１７と、弁棒１４を嵌合させる弁座部２３とを備え、弁座部２３に樹脂コーティング２４させたことにより、弁座部２３に歪みが生じても、樹脂コーティング２４によって、弁座部２３と弁棒１４との間に生じる隙間を完全に閉塞することができ、冷媒漏れを防止できる。【選択図】図２
2007247793.tif 000002
【特許請求の範囲】
【請求項１】
冷媒流路を開放または閉塞する弁棒と、前記弁棒を螺着させる弁棒受入ポートと、室内機の冷媒配管と接続する室内配管側ポートと、室外機の冷媒配管と接続する室外配管側ポートと、バルブコアを介して冷媒流路と大気とを連通させるサービスポートと、前記弁棒を嵌合させる弁座部とを備え、前記弁座部に樹脂コーティングさせたことを特徴とする空気調和機の三方弁。
【発明の詳細な説明】
【技術分野】
【０００１】
本発明は、空気調和機の冷媒配管に介装し、流通する冷媒を流通・閉止する機能を有する三方弁に関するものである。
【背景技術】
【０００２】
従来、空気調和機の室外機の冷媒配管と室内機の冷媒配管とを接続する接続部には、三方弁を介して、室内機と室外機との冷媒配管を接続している。
【０００３】
図３は従来の空気調和機の三方弁の構成図である。図３において、従来の空気調和機の三方弁１００は、室内機の冷媒配管を接続する室内側配管ポート１０１と、室外機の冷媒配管を接続する室外側配管ポート１０２と、室内側配管ポート１０１および室外側配管ポート１０２に冷媒配管を接続した後に、室内側の冷媒配管のエアパージおよび冷媒封入を行うためのサービスポート１０４と、開閉することによって室内機と室外機との間に冷媒を流通もしくは閉塞させる弁棒１０５を螺着させる弁棒受入ポート１０６を有している（例えば、特許文献１参照）。
【０００４】
このような三方弁において、室内機の冷媒配管をフレアナットを用いて三方弁に接続するときに、モンキーレンチなどでフレアナットを締め付ける（例えば、特許文献２参照）。しかしながら、締め付け力が過度になってしまうと、三方弁本体の弁座部に歪みが生じ、冷媒漏れが発生する。これを防止するために、三方弁本体の肉厚を厚くして、三方弁本体の強度を上げて、歪みの少ない構造としていた。
【特許文献１】特開平８−２９７０６７号公報
【特許文献２】特開平９−１５２２３１号公報
【発明の開示】
【発明が解決しようとする課題】
【０００５】
しかしながら、従来の構成では、三方弁本体の寸法が大きくなるために、室外機の側部に配設されている三方弁を覆う配管カバーのサイズが大きくなってしまい、結果的に室外機の設置スペースが大きくなってしまうという課題を有していた。
【０００６】
本発明は、前記従来の課題を解決するもので、三方弁のサイズを大きくすることなく、冷媒漏れを防止できる空気調和機の三方弁を提供することを目的とする。
【課題を解決するための手段】
【０００７】
前記従来の課題を解決するために、本発明の空気調和機の三方弁は、冷媒流路を開放または閉塞する弁棒と、前記弁棒を螺着させる弁棒受入ポートと、室内機の冷媒配管と接続する室内配管側ポートと、室外機の冷媒配管と接続する室外配管側ポートと、バルブコアを介して冷媒流路と大気とを連通させるサービスポートと、前記弁棒を嵌合させる弁座部とを備え、前記弁座部に樹脂コーティングさせたことを特徴とするものである。
【０００８】
これによって、歪みが生じた場合においても、樹脂コーティングによって、弁棒と三方弁との間に生じる隙間を完全に閉塞することができるので、冷媒漏れを防止することができる。
【発明の効果】
【０００９】
三方弁のサイズを大きくすることなく、冷媒漏れを防止できる空気調和機の三方弁を提供することができる。
【発明を実施するための最良の形態】
【００１０】
第１の発明は、冷媒流路を開放または閉塞する弁棒と、前記弁棒を螺着させる弁棒受入ポートと、室内機の冷媒配管と接続する室内配管側ポートと、室外機の冷媒配管と接続する室外配管側ポートと、バルブコアを介して冷媒流路と大気とを連通させるサービスポートと、前記弁棒を嵌合させる弁座部とを備え、前記弁座部に樹脂コーティングさせたことにより、弁座部に歪みが生じても、樹脂コーティングによって、弁座部と弁棒との間に生じる隙間を完全に閉塞することができ、冷媒漏れを防止できる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の冷媒回路の構成図である。図１において、冷房時における回路について説明する。冷房時において、室外機１に配設されている圧縮機２より吐出した冷媒は、四方弁３を通り、室外熱交換器４に流入する。室外熱交換器４では、冷媒は凝縮され、膨張弁５を通り、接続配管７で接続された室内機に配設されている室内熱交換器８に流入する。室内熱交換器８では、冷媒は蒸発し、室内に冷気を送風する。室内熱交換器８で蒸発した冷媒は、接続配管９を通って、接続された室外機に再度戻り、四方弁３を通り、圧縮機２に吸入され、再度圧縮される。また、接続配管７は、室外機に配設されているガス側三方弁６に接続され、接続配管９は、液側三方弁１０に接続される。
【００１３】
以上のように構成される空気調和機において、ガス側三方弁６および液側三方弁１０で用いられている三方弁の構造について説明する。図２（ａ）は、本発明の第１の実施の形態における三方弁の構成図であり、図２（ｂ）は、本発明の第１の実施の形態における三方弁の展開図である。図２（ａ）（ｂ）において、本実施の形態における三方弁１１（ガス側三方弁６および液側三方弁１０）は、室内機から延伸する接続配管７および接続配管９を接続する室内配管側ポート１２と、室外機１内に配設されている冷凍サイクルを構成する機器から延出されている冷媒配管を接続する室外配管側ポート１３と、室内配管側ポート１２と室外配管側ポート１３とを連通させて冷媒を流通させる弁棒１４を螺着させて支持する弁棒受入ポート１５と、バルブコア１６を介して冷媒流路と大気とを連通させるサービスポート１７の計４箇所に開放部を持つ本体１８を有する。
【００１４】
また、室内配管側ポート１２には、室内機から延伸する接続配管７および接続配管９を接続するフレアナット１９が配設され、弁棒受入ポート１５には、保護キャップ２０が螺着されている。弁棒１４は、ネジ部１４ａ、六角レンチ挿入穴１４ｂ、溝部１４ｃで構成され、溝部１４ｃには、冷媒が漏れるのを防止するためにＯリング２１が配設されている。また弁棒受入ポート１５は、ネジ部１５ａを有し、弁棒１４のネジ部１４ａと螺着し、弁棒１４を支持する。
室外配管側ポート１３には、銅管２２がフラックス剤を使用してロウ付け接続されており、室外機内の冷媒配管と連通している。
【００１５】
また、本体１８には、弁棒１４が着座する弁座２３が設けられており、弁座２３は樹脂コーティング２４されている。サービスポート１７には、バルブコア１６が挿入されており、本体１８内の冷媒流路と大気がバルブコア１６を介して連通している。通常は密封されているが、空気調和機の設置時には、サービスポート１７から真空引きを行う。また、サービスポート１７には、保護キャップ２５が螺着されている。
【００１６】
以上のように構成された空気調和機の三方弁について、以下その動作、作用を説明する
。
【００１７】
まず、接続配管７および接続配管９をフレアナット１９によって、室内配管側ポート１２に接続する。そして、サービスポート１７から真空引きを行い、室内機に配設されている冷媒配管内を真空にする。
【００１８】
次に、六角レンチ挿入穴１４ｂに六角レンチを挿入して、六角レンチを回すことで、弁棒１４の上下動作を可能にする。この時、弁棒１４は、弁座２３に着座しているので、上に動作することで、冷媒流路が開放され、室内配管側ポート１２と室外配管側ポート１３とが連通し、冷媒が流通する。
【００１９】
このようにして、冷媒を室内機および室外機に流通させるが、フレアナット１９で接続配管７および接続配管９を室内配管側ポート１２に接続するときに、モンキーレンチなどの工具を用いる。このときに過度に締め付けてしまう場合があり、弁棒１４と弁座２３に歪み、隙間が生じてしまうが、本実施の形態では樹脂コーティング２４しているので、弁棒１４と弁座２３が歪んだことによって生じた隙間を埋め、冷媒漏れを防止している。
【００２０】
以上のように、冷媒流路を開放または閉塞する弁棒と、前記弁棒を螺着させる弁棒受入ポートと、室内機の冷媒配管と接続する室内配管側ポートと、室外機の冷媒配管と接続する室外配管側ポートと、バルブコアを介して冷媒流路と大気とを連通させるサービスポートと、前記弁棒を嵌合させる弁座部とを備え、前記弁座部に樹脂コーティングさせたことにより、弁座部に歪みが生じても、樹脂コーティングによって、弁座部と弁棒との間に生じる隙間を完全に閉塞することができ、冷媒漏れを防止できる。
【産業上の利用可能性】
【００２１】
以上のように、本発明に係る空気調和機の三方弁は、大型化を図ることなく、冷媒漏れを防止することができるので、空気調和機のほかに、冷凍サイクルを有する装置にも適用できる。
【図面の簡単な説明】
【００２２】
【図１】本発明の第１の実施の形態における冷凍サイクルの構成図
【図２】（ａ）同実施の形態における三方弁の構成図（ｂ）同実施の形態における三方弁の展開図
【図３】従来の空気調和機の三方弁の構成図
【符号の説明】
【００２３】
１  室外機
２  圧縮機
３  四方弁
４  室外熱交換器
５  膨張弁
６  ガス側三方弁
７  接続配管
８  室内熱交換器
９  接続配管
１０  液側三方弁
１１  三方弁
１２  室内配管側ポート
１３  室外配管側ポート
１４  弁棒
１４ａ  ネジ部
１４ｂ  六角レンチ挿入穴
１４ｃ  溝部
１５  弁棒受入ポート
１５ａ  ネジ部
１６  バルブコア
１７  サービスポート
１８  本体
１９  フレアナット
２０  保護キャップ
２１  Ｏリング
２２  銅管
２３  弁座
２４  樹脂コーティング
２５  保護キャップ
【図１】
2007247793.tif 000003
【図２】
2007247793.tif 000004
【図３】
2007247793.tif 000005